(57)【要約】【課題】本発明は、画像処理装置に関し、処理対象画像のエントロピーを求めることによりその種類を識別することを目的とする。【解決手段】画像処理装置は、個々の画素が多値データで表された処理対象画像についてそのエントロピーを求め、これに基づいて処理対象画像の種類を識別するエントロピー識別処理部５と、この識別の結果に基づいて、写真であると識別された処理対象画像については個々の画素が多値データで表された画像データとして保存し、写真ではないと識別された処理対象画像については個々の画素が２値データで表された画像データとして保存する画像データ処理部６とを備える。【選択図】　　　図１
2004110606.tif 000002
【特許請求の範囲】
【請求項１】
個々の画素が多値データで表された処理対象画像についてそのエントロピーを求め、これに基づいて当該処理対象画像の種類を識別するエントロピー識別処理部を備える
ことを特徴とする画像処理装置。
【請求項２】
当該画像処理装置が、更に、
全体の画像データにおいて画素の存在する領域を矩形に囲んだ１又は複数の部分画像を生成する部分画像生成手段を備え、
前記エントロピー識別処理部が、前記部分画像の各々を処理対象画像として、そのエントロピーを求めることにより、当該部分画像の種類を識別する
ことを特徴とする請求項１記載の画像処理装置。
【請求項３】
前記部分画像生成手段は、
前記全体の画像データを２値化して、個々の画素が２値データで表された２値画像データを生成する２値化処理部と、
前記２値画像データにおいて黒画素の連続する領域を矩形に囲んだ領域として、１又は複数の部分画像を生成するラベリング処理部からなる
ことを特徴とする請求項２記載の画像処理装置。
【請求項４】
当該画像処理装置が、更に、
前記処理対象画像について、所定の大きさよりも大きい処理対象画像を抽出する抽出処理部を備え、
前記エントロピー識別処理部が、前記所定の大きさよりも大きい処理対象画像について、そのエントロピーを求めることにより、当該所定の大きさよりも大きい処理対象画像の種類を識別する
ことを特徴とする請求項１記載の画像処理装置。
【請求項５】
当該画像処理装置が、更に、
前記処理対象画像の種類の識別の結果に基づいて、写真であると識別された処理対象画像については個々の画素が多値データで表された画像データとして保存し、写真ではないと識別された処理対象画像については個々の画素が２値データで表された画像データとして保存する画像データ処理部を備える
ことを特徴とする請求項１記載の画像処理装置。
【請求項６】
前記エントロピー識別処理部が、個々の画素が多値データで表された処理対象画像について、前記多値データの取り得る値を複数の範囲に等分し、前記等分された複数の範囲の各々を１個の事象として前記エントロピーを求める
ことを特徴とする請求項１記載の画像処理装置。
【請求項７】
前記エントロピー識別処理部が、全体の画像データを多値化して、個々の画素が多値データで表された多値画像データを求め、前記多値画像データからなる処理対象画像について前記個々の画素の分布を求め、前記個々の画素の分布に基づいて前記エントロピーを求める
ことを特徴とする請求項１記載の画像処理装置。
【請求項８】
個々の画素が多値データで表された処理対象画像についてそのエントロピーを求め、
これに基づいて当該処理対象画像の種類を識別する
ことを特徴とする画像処理方法。
【請求項９】
画像処理装置において画像の種類を識別する画像処理プログラムであって、
前記プログラムは、コンピュータに、
個々の画素が多値データで表された処理対象画像についてそのエントロピーを求めさせ、
これに基づいて当該処理対象画像の種類を識別させる
ことを特徴とする画像処理プログラム。
【発明の詳細な説明】
【０００１】
【発明の属する技術分野】
本発明は、画像処理装置及び方法並びにプログラムに関し、特に、処理対象画像のエントロピーを求めることによりその種類を識別する画像処理装置及び方法並びにプログラムに関する。
【０００２】
【従来の技術】
スキャナ等の画像処理装置においては、読み取った画像データを格納する画像メモリの容量をできるだけ小さくすることが望ましい。そこで、読み取った画像データに着目し、写真である領域については多値データからなる画像データとして格納し、写真ではない領域については２値データからなる画像データとして格納している。多値データからなる画像データは、個々の画素が多値データで表された画像データであり、２値データからなる画像データは、個々の画素が２値データで表された画像データである。写真ではない領域としては、文字の領域の他に、図（線図を含む）の領域、表の領域が代表的である。
【０００３】
そこで、写真の領域と図、表等の領域とを区別する必要がある。従来、写真、図、表等の領域を識別する手段として、ヒストグラムに基づいて求めた分散を用いている。例えば、写真の領域では、中間色が多いので、画素の（明度の）ばらつきが大きくなり、従って、分散値が大きくなると考えられている。一方、図、表等の領域では、画素の（明度の）ばらつきが小さくなり、従って、分散値が大きくなると考えられている。そこで、領域毎に画素の分散値を求め、これが大きければ写真の領域と判断し、小さければ図、表等の領域と判断している。
【０００４】
なお、画像処理において、その種々の処理の過程でヒストグラムを用いる技術が提案されている（例えば、特許文献１、特許文献２参照）。
【０００５】
【特許文献１】
特開平６−１０３３９９号公報（第５段落〜第２２段落）
【特許文献２】
特開平７−１６８９３９号公報（第２２段落〜第３２段落）
【０００６】
【発明が解決しようとする課題】
前述のように、写真の領域と図、表等の領域とを区別するために画素の分散値を用いた場合、誤って判別してしまう場合があった。特に、本来は図、表等の領域であるにもにかかわらず、写真の領域であると誤って判別してしまう場合があった。この理由は、本発明者の検討によれば、以下の通りである。
【０００７】
即ち、写真、表、線図の画像を読み取り、各々の画像について個々の画素を多値データで表してその分布（ヒストグラム）を求めると、図７に示すようになる。写真はモノクロ写真又はカラー写真であり、表及び線図は文字と同様に白黒の２色からなる。なお、各々のヒストグラムにおいて、縦軸は頻度（当該値をとる画素の個数）、横軸は多値データである画素の値（例えば、０〜２５５階調）、点線ｅは画素の値の平均値を示す。
【０００８】
写真の画像のヒストグラムについてみると、画素値が広範囲に分布するので、分散値が大きくなり、写真の領域であると判断することができる。しかし、表の画像のヒストグラムについてみると、画素値はほぼ白及び黒の位置に存在し双璧を形成するが、平均値ｅからの距離が大きいので、分散値が大きくなってしまい、写真の領域であると誤って判断されてしまう。また、図（線図）の画像のヒストグラムの場合も同様である。
【０００９】
この結果、本来は写真ではない領域として判別し、２値データからなる画像データとして格納すべき図、表等の領域を、写真の領域であると判別し、多値データからなる画像データを格納することになる。これが、読み取った画像データを格納する画像メモリの容量を小さくする妨げになっている。
【００１０】
本発明は、処理対象画像のエントロピーを求めることによりその種類を識別する画像処理装置を提供することを目的とする。
【００１１】
また、本発明は、処理対象画像のエントロピーを求めることによりその種類を識別する画像処理方法を提供することを目的とする。
【００１２】
また、本発明は、処理対象画像のエントロピーを求めることによりその種類を識別する画像処理プログラムを提供することを目的とする。
【００１３】
【課題を解決するための手段】
本発明の画像処理装置は、個々の画素が多値データで表された処理対象画像についてそのエントロピーを求め、これに基づいて当該処理対象画像の種類を識別するエントロピー識別処理部を備える。
【００１４】
本発明の画像処理方法は、個々の画素が多値データで表された処理対象画像についてそのエントロピーを求め、これに基づいて当該処理対象画像の種類を識別する。
【００１５】
本発明の画像処理装置及び方法によれば、写真の領域と図、表等の領域とを区別するために画素のエントロピーを用いるので、画素の分散値を用いた場合のように、本来は図、表等の領域であるにもにかかわらず、写真の領域であると誤って判別してしまうことがない。即ち、理由については後述するが、写真の画像のエントロピーは、画素値が広範囲に分布するので、多様性が大きくなり、写真の領域であると正しく判断することができる。また、表及び図（線図）の画像のエントロピーは、画素値はほぼ白及び黒の位置に集中して双璧を形成するように存在するので、多様性が小さくなり、写真ではない（表及び図である）と正しく判断することができる。この結果、２値データからなる画像データとして格納すべき図、表等の領域を、写真の領域と区別して正しく判別することができ、画像メモリの容量を小さくすることができる。
【００１６】
本発明の画像処理プログラムは、画像処理装置において画像の種類を識別する画像処理プログラムであって、前記プログラムは、コンピュータに、個々の画素が多値データで表された処理対象画像についてそのエントロピーを求させ、これに基づいて当該処理対象画像の種類を識別させる。
【００１７】
本発明の画像処理プログラムは、フレキシブルディスク、ＣＤ−ＲＯＭ、ＣＤＲ／Ｗ、ＤＶＤ等の記録媒体に格納して、提供することができるので、容易に前述の画像処理装置及び方法を実現することができ、図、表等の領域を、写真の領域と区別して正しく判別することができ、当該画像処理装置の画像メモリの容量を小さくすることができる。
【００１８】
【発明の実施の形態】
図１は画像処理装置構成図であり、本発明の画像処理装置の構成を示す。
【００１９】
画像処理装置は、例えばスキャナ等からなり、画像読取処理部１、２値化処理部２、ラベリング処理部３、大矩形抽出処理部４、エントロピー識別処理部５、画像データ処理部６、画像データ格納部７を備える。なお、画像処理装置は、コピー機、ファクシミリ等の他の画像処理装置であってもよい。
【００２０】
画像読取処理部１は、例えば画像の描かれた原稿等の媒体から周知の手段により当該画像を読み取ることにより、全体の画像データを取得する。全体の画像データは、例えば個々の画素が例えば２４ビット（フルカラー）のデータで表されたカラー画像又は個々の画素が８ビットのデータで表された多値画像である。画像読取処理部１は、例えば周知のＣＣＤからなる画像読取部、増幅器、ＡＤ（アナログ／デジタル）変換器等からなる。画像読取処理部１は、取得した全体の画像データを２値化処理部２（即ち、部分画像生成手段）及び画像データ処理部６に送る。
【００２１】
なお、全体の画像データは、画像読取処理部１において読み取ったものでなく、他の画像読取装置により読み取って予め用意されたものであってもよい。この場合、２値化処理部２が当該全体の画像データを当該記憶領域から読み出せばよい。
【００２２】
２値化処理部２は、ラベリング処理部３と共に部分画像生成手段を構成し、画像読取処理部１からの全体の画像データを、周知の２値化処理により２値化する。即ち、個々の画素は、「０（即ち白）」又は「１（即ち黒）」のいずれかとされる。これにより、個々の画素が２値データで表された２値画像データが生成される。２値化処理部２は、全体の画像データと共に、２値画像データをラベリング処理部３へ送る。
【００２３】
ラベリング処理部３は、２値化処理部２と共に部分画像生成手段を構成し、周知のラベリング処理により、図２に示すように、２値化処理部２からの２値画像データにおいて黒画素の連続する領域を矩形（正方形又は長方形）に囲んだ領域とし、これに順番を付する。これにより、順番の付与された１又は複数の部分画像が生成される。ラベリング処理部３は、１又は複数の部分画像の生成を大矩形抽出処理部４に通知する。
【００２４】
図２において、全体の画像データ１００から生成される部分画像において、１個の写真、１個の表、１個の図（線図を含む）は、各々、１個の部分画像１０１、１０２、１０３とされる。これに対して、文字は、文章ではなく、個々の文字が各々１個又は複数の部分画像１０４とされる。例えば「イ」は図２に点線で示すように１個の部分画像１０４であるが、「い」は、図示しないが、黒画素が連続していないので、左右が別々の２個の部分画像とされる。部分画像の矩形は、当該連続する黒画素の座標（全体の画像データ１００における座標、以下同じ）に依存する。例えば、当該連続する黒画素のｘ座標の最小値ｘ１から所定の値ａを引いた値ｘ１−ａが当該矩形の１辺のｘ座標とされ、ｘ座標の最大値ｘ２に前記所定の値ａを加えた値ｘ２＋ａが当該矩形の他の１辺のｘ座標とされる。ｙ座標についても、同様に、最小値ｙ１から所定の値ａを引いた値ｙ１−ａ、及び、最大値ｙ２に前記所定の値ａを加えた値ｙ２＋ａが求まる。
【００２５】
ラベリング処理部３は、例えば図３に示すような処理テーブル３１を生成する。処理テーブル３１は、ラベリングされた部分画像毎に、その番号、位置座標、格納アドレス、画素分布、エントロピー、識別結果を格納する。但し、処理テーブル３１が作成された時点では、画素分布、エントロピー、識別結果は空である。位置座標は前述の座標により定まる位置Ａ（ｘ１−ａ，ｙ１−ａ）及びＢ（ｘ２＋ａ，ｙ２＋ａ）である。これにより、当該矩形の対角の２頂点Ａ及びＢを示すことになり、当該矩形の位置を定めることができる。格納アドレスは、当該ラベリングされた部分画像の格納されるアドレスをポイントする。従って、当該ラベリングされた部分画像は他の格納領域（図示せず）に格納される。当該ラベリングされた部分画像は、全体の画像データ（原画像）１００から、当該位置Ａ（ｘ１−ａ，ｙ１−ａ）及びＢ（ｘ２＋ａ，ｙ２＋ａ）により定まる矩形に対応する部分を読み出すことにより得られる。
【００２６】
なお、この例では、部分画像生成手段は、２値化処理部２とラベリング処理部３とからなるが、部分画像生成手段はこの例に限らない。部分画像生成手段は、全体の画像データにおいて画素の存在する領域を矩形に囲んだ１又は複数の部分画像を生成するものであればよい。また、部分画像は、他の画像処理装置において生成したものを利用するようにしてもよい。この場合、大矩形抽出処理部４が当該部分画像（の画像データ）を当該記憶領域から読み出せばよい。
【００２７】
大矩形抽出処理部４は、ラベリング処理部３からの通知に応じて、１又は複数の部分画像（即ち、処理対象画像）について、所定の大きさ（面積）よりも大きい面積の（即ち、大矩形の）部分画像を抽出し、当該抽出したことをエントロピー識別処理部５に通知する。部分画像の面積は、処理テーブル３１の当該位置座標から求まる。所定の面積は以下のように予め定められる。これにより、所定の大きさ以下の（小矩形の）部分画像については、後述するエントロピーの算出を行わない。図２から判るように、通常の文書（の全体の画像データ１００）では、文字の領域は明らかに写真の領域よりも小さい。そこで、これを利用して、この例では、明らかに文字の大きさであろうと思われる領域については、エントロピーによる識別を行うことなく、これを文字の領域（即ち、写真ではない領域）と判断する。従って、所定の大きさは、例えば１２〜１４ポイント程度の活字の大きさの領域について、前述のように、矩形を定めた場合の大きさとされる。大矩形抽出処理部４は、小矩形の部分画像については、処理テーブル３１の当該識別結果の欄に文字（の領域）であることを書き込む。小矩形の部分画像については、エントロピーの算出が不要であるので、処理テーブル３１の画素分布及びエントロピーの欄は空のままである。
【００２８】
エントロピー識別処理部５は、個々の画素が多値データで表された処理対象画像についてそのエントロピーを求め、これに基づいて当該処理対象画像の種類を識別し、当該識別したことを画像データ処理部６に通知する。処理対象画像は、大矩形抽出処理部４により大矩形であるとされた１又は複数の部分画像であり、処理テーブル３１における当該識別結果が空の部分画像である。従って、エントロピー識別処理部５は、前述のように、明らかに文字である（と思われる）領域の部分画像を除いて、所定の大きさよりも大きい部分画像について、そのエントロピーを求めることにより、当該所定の大きさよりも大きい部分画像の種類を識別する。
【００２９】
ここで、画素のエントロピーについて、及び、本発明におけるエントロピーの適用について、図４を参照して説明する。
【００３０】
図４（Ａ）に示すように、事象Ａ１〜Ａ６とその各々の発生確率Ｐ１〜Ｐ６が定義されており、発生確率Ｐ１〜Ｐ６の総和が１であるような事象系（完全事象系）を考える。この完全事象系におけるエントロピー（平均情報量）の値は、Σ〔Ｐｉ＊ＬＯＧ（１／Ｐｉ）〕
で与えられる。このエントロピーの値は、発生した場合に与えられる情報量の期待値を表している。当該値が大きいと言うことは、各事象が発生した場合に得られる情報量が大きいことが期待できる。即ち、この完全事象系の予測困難性及び多様性を示すことになる。
【００３１】
このエントロピーの値により表される予測困難性及び多様性を本発明に適用するために、この完全事象系を画素の値の分布系であると考える。ここで、画素の値は、図４（Ｂ）に示すように、例えば明度を示す値であり、０〜２５５の２５６階調に分布するとする。この場合、１個の画素は、必ず０〜２５５のいずれかの階調（事象）に属し、その発生確率Ｐ０〜Ｐ２５５の総和は１である。従って、この系は完全事象系であり、そのエントロピーは前述の式により求めることができる。
【００３２】
そこで、図５に示すように、エントロピー識別処理部５は、写真、表、線図の画像を読み取った各々について、個々の画素を多値データで表してその分布（ヒストグラム）を求める。写真はモノクロ写真又はカラー写真であり、表及び線図は文字と同様に白黒の２色からなる。なお、各々のヒストグラムにおいて、縦軸は頻度（当該値をとる画素の個数）、横軸は多値データである画素の値を示す。画素の値（明度）は、前述のように、例えば０〜２５５階調である（この処理までは図７と同様である）。
【００３３】
この分布の結果に基づいて、エントロピー識別処理部５は、全体の画素の数を１として、個々の明度（事象）の発生確率を求める。写真の画像の場合、画素値が広範囲に分布するので、個々の明度の発生確率が小さくなり、前述の式からエントロピーの値が大きくなることが判る。従って、エントロピー識別処理部５は、当該画像は写真の領域であると判断する。
【００３４】
表の画像の場合、画素値はほぼ白及び黒の位置に存在し双璧を形成し狭い分布となるので、個々の明度の発生確率が大きくなり、前述の式からエントロピーの値が小さくなることが判る。従って、エントロピー識別処理部５は、当該画像は写真の領域ではない（図表の領域）と判断する。また、図（線図）の画像の場合も、同様に、エントロピーの値が小さくなるので、エントロピー識別処理部５は、当該画像は写真の領域ではないと判断することができる。なお、この例では、実際には、通常の文字よりも明らかに大きい大矩形の部分画像についてエントロピーの値による識別を行なうので、写真の領域ではない領域は、表や図の領域であると判断することができる。
【００３５】
但し、個々の画素の取り得る値（例えば０〜２５５）の各々を１個の事象としたのでは、当該値が１違うだけで異なる事象として処理することとなる。この結果、エントロピー値の増大を助長し、結果として、写真と表や図との識別性を低下させることになる。一方、周知のように、Ｌ＊　ａ＊　ｂ＊　色空間におけるユークリッド距離である色差が３．０〜６．０程度で、人間の眼で差異を感じるとされている。これを例えば０〜２５５階調で表される明度に換算すると、明度幅８〜１６（階調）程度となる。
【００３６】
そこで、エントロピー識別処理部５は、多値データの取り得る値を複数の範囲にグルーピングする。各々のグループの大きさは（この例では、明度の幅）等しくされる。例えば、個々の画素が８ビット（２５６階調）の多値データで表されている場合、この例では、明度幅８の３２個のグループ（事象）に等分する。そして、エントロピー識別処理部５は、等分された複数の範囲の各々を１個の事象として、個々の画素が多値データで表された部分画像について、そのエントロピーを求める。
【００３７】
なお、個々の画素が８ビットの多値データで表されている場合、明度幅１６の１６個のグループ（事象）に等分するようにしてもよい。また、個々の画素が他のビット数の多値データで表されている場合、明度幅を８又は１６の複数のグループ（事象）に等分するようにしてもよい。
【００３８】
実際には、エントロピー識別処理部５は、処理テーブル３１を参照して当該識別結果の欄が空である部分画像を、先頭から順に、対応する格納アドレスを参照して読み出し、当該読み出した１又は複数の部分画像を多値化して、個々の画素が多値データで表された多値画像データを生成する。この例では、８ビット（０〜２５５の２５６階調）の多値データとされる。そして、エントロピー識別処理部５は、この８ビットの多値データからなる部分画像について、図５に示すように個々の画素の値の分布を求め、処理テーブル３１の対応する画素分布の欄に書き込む。そして、エントロピー識別処理部５は、当該書き込んだ画素分布に基づいて、当該部分画像のエントロピーを求め、処理テーブル３１の対応するエントロピーの欄に書き込む。この時、前述のように、明度幅８で等分した３２個のグループの各々を１個の事象として当該事象の発生確率が求められ、これを用いてエントロピーが求められる。更に、エントロピー識別処理部５は、当該書き込んだエントロピーに基づいて、当該部分画像の種類を識別して、処理テーブル３１の対応する識別結果の欄に書き込む。これにより、図５に示すように、写真の領域と、表や図の領域とを正しく識別することができる。
【００３９】
画像データ処理部６は、画像読取処理部１からの全体の画像データ１００を所定の格納領域（図示せず）に保持し、エントロピー識別処理部５からの通知に応じて、当該全体の画像データ１００と部分画像の種類の識別の結果とに基づいて、処理対象である部分画像の種類に応じた処理により格納画像データを生成し、画像データ格納部７に格納する。即ち、画像データ処理部６は、処理テーブル３１を参照して、当該識別結果が写真である部分画像については個々の画素が多値データで表された画像データとして保存し、当該識別結果が写真ではない（即ち、図表又は文字である）部分画像については個々の画素が２値データで表された画像データとして保存する。これにより、部分画像１０１以外の当該全体の画像データ１００の大部分を２値データで格納できるので、画像データ格納部７の記憶容量を小さくすることができる。
【００４０】
図６は画像処理フローであり、本発明の画像処理装置における画像処理の一例を示す。
【００４１】
画像読取処理部１が画像から全体の画像データを読み取ると（ステップＳ１）、２値化処理部２が全体の画像データについて周知の２値化処理を行い（ステップＳ２）、ラベリング処理部３が２値化処理された画像データについて周知のラベリング処理を行い、処理テーブル３１を作成する（ステップＳ３）。
【００４２】
大矩形抽出処理部４が、処理テーブル３１を参照して、ラベリングされた部分画像をそのラベルの順に１個取り出し（ステップＳ４）、当該部分画像が所定の大きさよりも大きい矩形（大矩形）であるか否かを調べる（ステップＳ５）。大矩形でない場合、大矩形抽出処理部４は、当該部分画像は文字の領域であり写真でない領域であると識別して、これを処理テーブル３１の当該識別結果の欄に書き込み（ステップＳ６）、ステップＳ４以下を繰り返す。即ち、ラベリングされた部分画像の次の順の１個を取り出し、同様の処理を行なう。
【００４３】
ステップＳ５において大矩形である場合、エントロピー識別処理部５が、処理テーブル３１を参照して、当該格納アドレスから読み出した当該部分画像についての８ビット（２５６階調）の多値データを生成し（ステップＳ７）、当該多値データにおける画素値の分布を解析し（ステップＳ８）、この分布の解析結果に基づいて、明度幅８で等分した３２個のグループの各々を１個の事象として当該事象の発生確率を求め、これを用いて画素のエントロピーを前述の演算により算出し（ステップＳ９）、このエントロピーに基づいて当該部分画像の種類を識別する（ステップＳ１０）。即ち、当該エントロピーの値が大きければ写真の領域であると識別し、当該エントロピーの値が小さければ写真でない領域（即ち、表や図の領域）であると識別する。前述のように、画素の分布、エントロピー、識別結果は、処理テーブル３１の当該位置に書き込まれる。
【００４４】
この後、例えばエントロピー識別処理部５が、処理テーブル３１を参照して、当該部分画像が最後の部分画像であるか否かを調べ（ステップＳ１１）、最後の部分画像でない場合、ステップＳ４以下を繰り返す。即ち、大矩形抽出処理部４が、ラベリングされた部分画像の次の順の１個を取り出し、同様の処理を行なう。
【００４５】
最後の部分画像である場合、画像データ処理部６が、処理テーブル３１を参照して、エントロピー識別処理部５における部分画像の識別の結果に基づいて、画像読取処理部１で読み取った全体の画像データ１００について画像処理を行い、当該画像処理の結果である格納画像データを、画像データ格納部７に格納する（ステップＳ１２）。これにより、画像データ格納部７の記憶容量が大きくなることを防止することができる。
【００４６】
【発明の効果】
以上説明したように、本発明によれば、画像処理装置及び方法において、写真の領域と図、表等の領域とを区別するために画素のエントロピーを用いるので、画素の分散値を用いた場合のように、本来は図、表等の領域であるにもにかかわらず、写真の領域であると誤って判別してしまうことを防止することができる。即ち、写真の画像のエントロピーは、画素値が広範囲に分布するので、多様性が大きくなり、写真の領域であると正しく判断することができる。また、表及び図（線図）の画像のエントロピーは、画素値はほぼ白及び黒の位置に集中して双璧を形成するように存在するので、多様性が小さくなり、写真ではない（表及び図である）と正しく判断することができる。この結果、２値データからなる画像データとして格納すべき図、表等の領域を、写真の領域と区別して正しく判別することができ、画像メモリの容量を小さくすることができる。
【００４７】
また、本発明によれば、画像処理プログラムをフレキシブルディスク、ＣＤ−ＲＯＭ、ＣＤＲ／Ｗ、ＤＶＤ等の記録媒体に格納して提供することができるので、容易に前述の画像処理装置及び方法を実現することができ、図、表等の領域を、写真の領域と区別して正しく判別することができ、当該画像処理装置の画像メモリの容量を小さくすることができる。
【図面の簡単な説明】
【図１】画像処理装置構成図であり、本発明の画像処理装置の構成を示す。
【図２】画像処理装置説明図であり、図１の画像処理装置における画像処理を示す。
【図３】画像処理装置説明図であり、図１の画像処理装置における画像処理を示す。
【図４】画像処理装置説明図であり、図１の画像処理装置における画像処理を示す。
【図５】画像処理装置説明図であり、図１の画像処理装置における画像処理を示す。
【図６】画像処理フローであり、図１の画像処理装置における画像処理を示す。
【図７】従来技術説明図である。
【符号の説明】
１　　画像読取処理部
２　　２値化処理部
３　　ラベリング処理部
４　　大矩形抽出処理部
５　　エントロピー識別処理部
６　　画像データ処理部
７　　画像データ格納部
【図１】
2004110606.tif 000003
【図２】
2004110606.tif 000004
【図３】
2004110606.tif 000005
【図４】
2004110606.tif 000006
【図５】
2004110606.tif 000007
【図６】
2004110606.tif 000008
【図７】
2004110606.tif 000009